(57)【要約】【課題】  略矩体上のピン付バックルにおいて、角柱のローラーをクリック式に回動させる事により簡単にデザインを変更できるバックルを提供する。【解決手段】  略矩形のピン付バックルにおいて、ベルトの端部を取り付ける軸部と、該軸部と反対側の一辺が任意の多角形の角柱ローラーとからなり、角柱ローラーは軸部の弾性によりバックル本体に侠着され、角柱ローラーとバックル本体の接点に設けられた突起物と窪みが嵌合し、芯により回動可能に軸支される事で角柱ローラーの軸方向に回動させた場合に突起物と角柱ローラー側面数と同数の窪みが順次嵌合しクリック式に回動可能である事を特徴としたバックル。【選択図】図３
2014030704.tif 000002
【特許請求の範囲】
【請求項１】
略矩形のピン付バックルにおいて、一辺がベルト本体に設けられた止孔に挿通されるピンが回動可能に枢止された、ベルトの端部を取り付ける軸部と、該軸部と反対側の一辺が任意の多角形の角柱ローラーとからなり、角柱ローラーは該軸部の弾性によりバックル本体に侠着され、角柱ローラーとバックル本体の接点に設けられた突起物と窪みが嵌合し、芯により回動可能に軸支される事で角柱ローラーの軸方向に回動させた場合に突起物と角柱ローラー側面数と同数の窪みが順次嵌合しクリック式に回動可能である事を特徴としたバックル。
【請求項２】
略矩形のピン付バックルにおいて、一辺がベルト本体に設けられた止孔に挿通されるピンが回動可能に枢止された、ベルトの端部を取り付ける軸部と、該軸部と反対側の一辺が任意の多角形の角柱ローラーとからなり、角柱ローラーは該軸部の弾性によりバックル本体に侠着され、角柱ローラーとバックル本体の接点に設けられた突起物と窪みが嵌合し、芯により回動可能に軸支される事で角柱ローラーの軸方向に回動させた場合に突起物と角柱ローラー側面数と同数の窪みが順次嵌合しクリック式に回動し、角柱ローラー側面とバックル表面が平行となる位置で係止する事を特徴とした請求項１に記載のバックル。
【請求項３】
前記角柱ローラーは、各側面にデザインが施された事を特徴とした請求項１又は２に記載のバックル。
【請求項４】
前記角柱ローラーの侠着位置は軸部と反対側の一辺の任意の場所とする事を特徴とした請求項１から３のいずれかに記載のバックル。
【請求項５】
前記角柱ローラーにおける挿入穴の位置は、角柱ローラーの中心軸からずれた位置に備えた事を特徴とした請求項１から４のいずれかに記載のバックル。
【発明の詳細な説明】
【技術分野】
【０００１】  ベルトに取り付けるピン付バックルの枠体一辺に角柱ローラーをクリック式に係止させ、該角柱ローラーを回動させる事により、角柱ローラーの側面各々に加えられた形状や柄や鍍金などの仕上げ等のデザインの違いを利用できるバックルである。
【背景技術】
【０００２】  バックルのベルト本体への取り付け形態としては、ベルト端部側に長孔を形成しておき該長孔にバックルのピンを通すようにしてバックル軸部に巻きつけて折り返し、ベルト本体の端部をベルト本体の内側部に重ね合わせ縫合などにより結合した物や、ベルト端部連結具や中間調整金具を使用しバックルを取り付ける場合もある。【０００３】前記金具はベルトとバックルを繋ぐ為の機能を有し本来の目的外にベルトの全長を調整する役割を果たしているが、これらは基本的にベルトにバックルを取り付ける為のものであり、取り付けられたバックルを取り外す事は想定していない。
【発明の概要】
【発明が解決しようとする課題】
【０００４】  前記のようにベルトのバックルをベルトから取り外す方法は困難である為、バックルを取り付けられたベルトは、その組み合わせを変更することが出来ない。【０００５】  本発明は、上記の点に鑑みなされたものであり、上記従来の欠点を解消し、一本のベルトでも取り付けられているバックルのデザインを手軽に変更できれば、例えば着用する服装にベルトを合わせる場合や仕事のオン・オフでの気分的な切り替えの時に応用が利きやすくなる上、ベルト本体に本発明のバックルを装着することにより一本のベルトで数種類のデザイン展開を得ることのできるベルト用バックルを提供することを目的とする。
【課題を解決するための手段】
【０００６】  略矩形のピン付バックルにおいて、一辺がベルト本体に設けられた止孔に挿通されるピンが回動可能に枢止された、ベルトの端部を取り付ける軸部と、該軸部と反対側の一辺が任意の多角形の角柱ローラーとからなり、角柱ローラーは該軸部の弾性によりバックル本体に侠着され、角柱ローラーとバックル本体の接点に設けられた突起物と窪みが嵌合し、芯により回動可能に軸支される事で角柱ローラーの軸方向に回動させた場合に突起物と角柱ローラー側面数と同数の窪みが順次嵌合しクリック式に回動可能である事を解決手段としたバックル。【０００７】  略矩形のピン付バックルにおいて、一辺がベルト本体に設けられた止孔に挿通されるピンが回動可能に枢止された、ベルトの端部を取り付ける軸部と、該軸部と反対側の一辺が任意の多角形の角柱ローラーとからなり、角柱ローラーは該軸部の弾性によりバックル本体に侠着され、角柱ローラーとバックル本体の接点に設けられた突起物と窪みが嵌合し、芯により回動可能に軸支される事で角柱ローラーの軸方向に回動させた場合に突起物と角柱ローラー側面数と同数の窪みが順次嵌合しクリック式に回動し、角柱ローラー側面とバックル表面が平行となる位置で係止する事を解決手段としたバックル。【０００８】  前記角柱ローラーは、各側面にデザインが施された事を特徴とするバックル。【０００９】  前記角柱ローラーの侠着位置は軸部と反対側の一辺の任意の場所とする事を解決手段としたバックル。【００１０】  前記角柱ローラーにおける挿入穴の位置は、角柱ローラーの中心軸からずれた位置に備えた事を解決手段としたバックル。
【発明の効果】
【００１１】  矩形方の一辺にピンを枢支したベルトの一端を取り付ける軸部と、軸部とは反対側の一辺をクリック式に回動可能な角柱をローラーとしたバックルであり、角柱ローラーを軸方向に回動させる事により角柱ローラー各側面に加えられた形状や柄や鍍金等による表面仕上げ等のデザインを使用することができ、一本のベルトで例えば着用する服装に合わせる場合や仕事でのオン・オフにおいてもその場の状況や気分によりベルトを交換する手間なく、ベルトを装着したままでも角柱ローラーを回動させるだけでバックルのデザインを変更できる事により、ベルトとしての雰囲気も変えることができるため色々な場面に対応できる。【００１２】  構造が簡単で少ない部品数であるため安価で生産が可能であり、不良品の発生も抑える事ができる。
【図面の簡単な説明】
【００１３】
【図１】本発明の角柱ローラーバックルの一例を示す斜視図である。
【図２】図１に示す角柱ローラーバックルの組立て分解図である。
【図３】図１に示す角柱ローラーバックルの操作説明図である。
【図４】本発明の角柱ローラーバックルの他の実施例２の斜視図である。
【図５】本発明の角柱ローラーバックルの他の実施例３の斜視図である。
【図６】本発明の角柱ローラーバックルの他の実施例３の操作説明図であり、角柱ローラーの回動による位置の変化を示している。
【図７】本発明の角柱ローラーバックルの他の実施例４の斜視図である。
【発明を実施するための形態】
【００１４】  本発明の実施形態に係る角柱ローラーバックル１について図面を参照して説明する。なお、本発明に係る角柱ローラーバックル１は一実施形態を図示したような形状において構造を限定したものではなく本発明を説明する為の例示であり、角柱ローラー２をラチェット式に回動させる本発明の趣旨はさまざまな形態で実施する事ができる。
【００１５】  図１は本発明の一実施例の斜視図であり、バックル本体１１と角柱ローラー２とピン３及び角柱ローラー２を枢支する芯４から構成されている。
【００１６】  図２は本発明の一実施例を示す組立て分解図であり、バックル本体１１は長尺状の棒体の一端を軸部１２で平行に固着し、軸部１２にはピン３が枢止されている。角柱ローラーは該軸部１２の弾性により侠着され、かつ芯４により回動可能に軸支され、角柱ローラーバックル１を形成しており、角柱ローラー２は該軸部１２と略同一の長さであり各側面がデザインされ、底面２３の中心軸には挿入穴２１が開けられ芯４が挿入される。
【００１７】  角柱ローラー２の底面２３には、バックル外側面１７より挿通された芯４が挿入される挿入穴２１が開いており、角柱ローラーに対向するバックル内側面１６の穴１３縁には穴１３を中心とする窪み１４が角柱ローラー２の側面数分が等間隔に設けられ、挿入穴２１を中心として角柱ローラー２を操作方向Ｍ２あるいはＭ３に回動させた時に角柱ローラー側面（２Ａ・２Ｂ・２Ｃ・２Ｄ）がバックル表面１５と平行な位置でクリック式に係止される位置に窪み１４と対応する突起物２２が設けられている。
【００１８】  図３は本発明の角柱ローラーバックル１の操作説明図であり、角柱ローラー２は軸部１２の弾性で侠着され芯４によりバックル本体１１に軸支されており矢印Ｍ２方向あるいはＭ３方向に回動させると、角柱ローラー２を侠着する軸部１２の弾性により突起物２２と芯用穴１３を中心として設けられた角柱ローラー２の面数に対応する等間隔の窪み１４との嵌合点がずれ、突起物２２が隣り合う次の嵌合点に移動する事によりクリック式に係止される。
【００１９】  図４では他の実施例２について説明する。図４においては、略矩形の枠体を任意の長さの角柱ローラー２と略同一の長さに切り込んだ状態をバックル本体１１とし、軸部１２の反対側の一辺の任意の場所に侠着した一例であり、回動による角柱ローラーの動きは図３による説明と同様である。
【００２０】  図５では他の実施例３について説明する。実施例３ではバックル本体１１の形状は図１から図３の説明図と同じであるが角柱ローラー２の挿入穴２１の位置を角柱ローラー中心軸からずれた位置にする事により、図６で示すように角柱ローラーの係止位置を変えることができる。またこの事を考えると、挿入穴２１の位置を変えるのと同じように穴１３の位置を変更すれば、バックル本体１１に対する角柱ローラー２の係止位置の組み合わせを変えることができる。
【００２１】  図７は他の実施例４の斜視図であり、デザインの違いを分かりやすくするため角柱ローラー２の任意の一側面の形状のデザイン例を図示している。
【００２２】  図１から図３において角柱ローラーバックル１の一実施例を説明したが、本発明の趣旨から言えば実施例１実施例２実施例３実施例４それぞれを組み合わせてデザイン展開しても良い。
【００２３】  角柱ローラー２は軸部１２の弾性によりバックル本体に侠着されているが回動可能とする芯については図４に示すようにバックル外側面１７からの芯４の挿入や、バックル内側面１６に挿入穴２１に対応する突起物により回動可能としても良く、また角柱ローラー２を貫通する芯でも良い。
【産業上の利用可能性】
【００２４】  部品数が少なく構造も簡単なため、不良が少なく安価に生産する事が可能であり、デザイン展開も容易である。【００２５】  角柱の側面をデザイン展開する事でバックル自体のデザインの組み合わせを増やす事ができるため、消費者が目的にあわせデザインを自由に選んで変更し使用する事が可能な事を考えると、ベルトとしての楽しみが増え結果としてバックルとベルトの販売に貢献できる
【符号の説明】
【００２６】１          角柱ローラーバックル
１１        バックル本体
１２        軸部
１３        芯用穴
１４        窪み
１５        バックル表面
１６        バックル内側面
１７        バックル外側面
２          角柱ローラー
２Ａ        角柱ローラーＡ面
２Ｂ        角柱ローラーＢ面
２Ｃ        角柱ローラーＣ面
２Ｄ        角柱ローラーＤ面
２１        挿入穴
２２        突起物
２３        底面
３          ピン
４          芯
Ｍ２        操作方向
Ｍ３        操作方向
【図１】
2014030704.tif 000003
【図２】
2014030704.tif 000004
【図３】
2014030704.tif 000005
【図４】
2014030704.tif 000006
【図５】
2014030704.tif 000007
【図６】
2014030704.tif 000008
【図７】
2014030704.tif 000009